(57)【要約】【課題】ファン内蔵のケース内に空気と共に導入される雨水がケース内部に入ることを防止する。【解決手段】ファンが収納されたケース１の前板（空気導入口形成板）２に、ファンの駆動時にケース外部からケース内に空気を導入する給気口３を形成し、前板２の内側には給気口３から導入される空気と共に導入される雨水が浸入することを防ぐための防雨板４を前板２の面と間隔を介して対面配設する。防雨板４の上端部に空気が通る第１の通気口６を形成し、防雨板４の給気口３よりも下側の位置に第２の通気口５を形成し、給気口３から導入される空気が第１の通気口６側に向けて上向きに流れる上向き気流と通気口５側に向けて下向きに流れる下向き気流とに分流することによって上向き気流が弱められ、上向き気流に含まれる雨水が第１の通気口６に至る間に落下した状態で空気が第１の通気口６と通気口５とを通してケース１の内側に流れるようにする。【選択図】図１
2018128189.tif 000002
【特許請求の範囲】
【請求項１】
ファンが収納されたケースを備え、該ケースは立設形成された空気導入口形成板を有して、該空気導入口形成板には前記ファンの駆動時に前記ケースの外部から該ケース内に空気を導入する給気口が形成され、前記空気導入口形成板の内側には該空気導入口形成板の前記給気口から導入される空気と共に導入される雨水が浸入することを防ぐための防雨板が前記空気導入口形成板の面と間隔を介して対面配設されており、前記防雨板の上端部側には空気が通る第１の通気口が形成され、前記防雨板には前記空気導入口形成板に形成された前記給気口よりも下側の位置に第２の通気口が形成されて、前記空気導入口形成板の前記給気口から導入される空気が前記第１の通気口側に向けて上向きに流れる上向き気流と前記第２の通気口側に向けて下向きに流れる下向き気流とに分流することによって前記上向き気流が弱められて該上向き気流に含まれる雨水が前記第１の通気口に至る間に落下した状態で前記空気が前記第１の通気口と前記第２の通気口とを通して前記ケースの内側に流れることにより、前記給気口から導入される空気と共に導入される雨水の前記防雨板より内側への浸入が抑制されることを特徴とするファン内蔵装置。
【請求項２】
空気導入口形成板の給気口から第１の通気口までの距離と第２の通気口までの距離とがほぼ等しいことを特徴とする請求項１記載のファン内蔵装置。
【請求項３】
防雨板に切り込みが形成されて該防雨板から空気導入口形成板側に向けて折り返して斜め上向きに突出形成された羽根板が設けられ、該羽根板と前記防雨板の切り込み形成部との隙間が第２の通気口と成していることを特徴とする請求項１または請求項２記載のファン内蔵装置。
【請求項４】
羽根板の折り返しの根本側が空気導入口形成板側にふくらみをもたせて曲面形状に形成されて前記羽根板の先端側は垂直状に起立形成されていることを特徴とする請求項３記載のファン内蔵装置。
【請求項５】
防雨板の第２の通気口と羽根板は、該防雨板の板面に沿ってケースの中央側よりもケース端部側に向けて下がる態様で斜めに配置形成されており、前記羽根板のケース側の端部はケース端部に設けられて前記羽根板に当たった雨水が前記ケースの壁面に添って流下する構成と成していることを特徴とする請求項３または請求項４記載のファン内蔵装置。
【請求項６】
防雨板の第２の通気口は互いに上下方向に間隔を介して複数形成され、それぞれの前記通気口に対応させて形成された羽根板同士の配設形態が鎧戸形状となるように配置されていることを特徴とする請求項３または請求項４または請求項５記載のファン内蔵装置。
【請求項７】
ケース内には、ファン駆動により該ケース内に導入される空気を利用して燃焼する燃焼装置が設けられ、前記燃焼装置の燃焼により発生する熱を供給可能な熱源装置と成していることを特徴とする請求項１乃至請求項６のいずれか一つに記載のファン内蔵装置。
【発明の詳細な説明】
【技術分野】
【０００１】
本発明は、例えば給湯器等の熱源装置等、ケース内にファンを内蔵してなるファン内蔵装置に関するものである。
【背景技術】
【０００２】
例えば図５に示されるように、給湯器２０等の熱源装置には、箱形状のケース１内にバーナ２１等の燃焼装置が設けられた燃焼室２２が設けられており、バーナ２１を燃焼させるための空気を送るファン８と、バーナ２１により加熱される熱交換器２３等もケース１内に収納されている。バーナ２１は、ファン８の駆動によりケース１内に導入されて送られる空気とガス管２４から供給される燃料ガスによるバーナ燃焼を行い、その熱により熱交換器２３を通る水を加熱して熱を供給可能な構成と成しており、バーナ燃焼により発生する燃焼ガスは排気筒２５から外部に排出される。
【０００３】
図６（ａ）には、給湯器２０のケース１の断面図の例が模式図により示されている。なお、この図は、図の左側が給湯器２０の前となる態様で示されている。同図に示されるように、ケース１の前板２には、その下方部に給気口３が形成されており、この給気口３は、前記ファン８（同図には図示せず）の駆動時にケース１の外部から該ケース１内に空気を導入する役割を果たす。前板２の内側には前板２の給気口３から導入される空気と共に導入される雨水（例えば略霧状のような細かい雨粒）が浸入することを防ぐための防雨板４が前板２と間隔を介して対面配設されており、防雨板４の上端部とケース１の天井側との間には空気が通る隙間１６が形成されている。
【０００４】
また、防雨板４に図の破線で示されるような通気口５が形成されているものが提案されており、通気口５は、例えば図６（ｂ）に示されるように、板にコ字形状の切り込みを形成して切り起こし部１５を形成することにより防雨板４に形成される貫通孔によって形成されている。通気口５は、例えば防雨板４の左右いずれかの端部側（例えば図７（ａ）において前板２を透かして見た場合の領域Ｂ）に、複数互いに間隔を介して形成されている。
【０００５】
通気口５を有する防雨板４を備えたケース１においては、図６（ａ）に示されるように、前板２の給気口３から導入される空気が、矢印Ａに示されるように防雨板４の上端部とケース１の天井側との隙間１６側に向けて上向きに流れると共に、その一部は矢印Ａ’に示されるように通気口５側に向けて流れる。そして、空気は、隙間１６と通気口５とを通って防雨板４よりもケース１の内側に流れていく。
【０００６】
なお、給気口３は、例えば図７（ａ）に示されるように、前板２の前面に、上下左右に互いに間隔を介して複数整列状に配列形成されている。また、給湯器２０のケース１においては、図７（ｂ）に示されるように、前板２に連通する側部板１１や底部板１２にも複数の給気口１３が配列形成されており、給気口１３からもケース１内に空気が導入される（図７（ｂ）においては、図の簡略化のために給気口３の図示が省略されている）。
【０００７】
なお、前板２の代わりに、ケース１の側面のうちの一つの面を前板２と同様の態様に形成することも可能であり、その場合、その側板の表面（ケース１の外側に面する面）に給気口３を形成することも可能である。本明細書等においては、このように給気口３が形成されて立設形成された前板２等の板を空気導入口形成板という。
【先行技術文献】
【特許文献】
【０００８】
【特許文献１】特開平１０−１８５３２８号公報
【特許文献２】実用新案第２５０６７３１号公報
【発明の概要】
【発明が解決しようとする課題】
【０００９】
しかしながら、従来の給湯器２０等の熱源装置においては、前板２の給気口３や側部板１１および底部板１２の給気口１３から防雨板４の上側の隙間１６や通気口５側に向けて流れる空気の流れに偏りがあり、例えば非常にゆっくりの速度で隙間１６側に流れる空気もある一方で、例えば１０ｍ／秒程度の非常に速い速度で隙間１６側に流れる空気もあった。特に、前板２の給気口３から導入されて隙間１６や通気口５側に流れる空気の速度が速く、流速が速い空気と共に空気に含まれていた雨水が隙間１６や通気口５を通り、防雨板４よりも内側のケース内部に侵入しやすいといった問題があった。
【００１０】
また、防雨板４は、ケース１内に内蔵されているファン８やモータの遮音板としても機能するものであるが、従来のケース１においては、前記のように空気の流れに偏りがあって給気圧損も大きく、それゆえ、給湯器２０内のバーナ燃焼時に必要な空気量を得るためにファン８の回転数を高くしなければならないことから、騒音値が高くなってしまうといった問題もあった。
【００１１】
本発明は、上記課題を解決するためになされたものであり、その目的は、給気口から導入される空気に含まれる雨水のケース内部への浸入を防ぐことが可能で、ファン駆動時の騒音も小さくできる、例えば給湯器等の熱源装置等のファン内蔵装置を提供することにある。
【課題を解決するための手段】
【００１２】
本発明は上記目的を達成するために、次の構成をもって課題を解決する手段としている。すなわち、第１の発明は、ファンが収納されたケースを備え、該ケースは立設形成された空気導入口形成板を有して、該空気導入口形成板には前記ファンの駆動時に前記ケースの外部から該ケース内に空気を導入する給気口が形成され、前記空気導入口形成板の内側には該空気導入口形成板の前記給気口から導入される空気と共に導入される雨水が浸入することを防ぐための防雨板が前記空気導入口形成板の面と間隔を介して対面配設されており、前記防雨板の上端部側には空気が通る第１の通気口が形成され、前記防雨板には前記空気導入口形成板に形成された前記給気口よりも下側の位置に第２の通気口が形成されて、前記空気導入口形成板の前記給気口から導入される空気が前記第１の通気口側に向けて上向きに流れる上向き気流と前記第２の通気口側に向けて下向きに流れる下向き気流とに分流することによって前記上向き気流が弱められて該上向き気流に含まれる雨水が前記第１の通気口に至る間に落下した状態で前記空気が前記第１の通気口と前記第２の通気口とを通して前記ケースの内側に流れることにより、前記給気口から導入される空気と共に導入される雨水の前記防雨板より内側への浸入が抑制される構成をもって課題を解決するための手段としている。
【００１３】
また、第２の発明は、前記第１の発明の構成に加え、前記空気導入口形成板の給気口から第１の通気口までの距離と第２の通気口までの距離とがほぼ等しいことを特徴とする。
【００１４】
さらに、第３の発明は、前記第１または第２の発明の構成に加え、前記防雨板に切り込みが形成されて該防雨板から空気導入口形成板側に向けて折り返して斜め上向きに突出形成された羽根板が設けられ、該羽根板と前記防雨板の切り込み形成部との隙間が第２の通気口と成していることを特徴とする。
【００１５】
さらに、第４の発明は、前記第３の発明の構成に加え、前記羽根板の折り返しの根本側が空気導入口形成板側にふくらみをもたせて曲面形状に形成されて前記羽根板の先端側は垂直状に起立形成されていることを特徴とする。
【００１６】
さらに、第５の発明は、前記第３または第４の発明の構成に加え、前記防雨板の第２の通気口と羽根板は、該防雨板の板面に沿ってケースの中央側よりもケース端部側に向けて下がる態様で斜めに配置形成されており、前記羽根板のケース側の端部はケース端部に設けられて前記羽根板に当たった雨水が前記ケースの壁面に添って流下する構成と成していることを特徴とする。
【００１７】
さらに、第６の発明は、前記第３または第４または第５の発明の構成に加え、前記防雨板の第２の通気口は互いに上下方向に間隔を介して複数形成され、それぞれの前記通気口に対応させて形成された羽根板同士の配設形態が鎧戸形状となるように配置されていることを特徴とする。
【００１８】
さらに、第７の発明は、前記第１乃至第６のいずれか一つの発明の構成に加え、前記ケース内には、ファン駆動により該ケース内に導入される空気を利用して燃焼する燃焼装置が設けられ、前記燃焼装置の燃焼により発生する熱を供給可能な熱源装置と成していることを特徴とする。
【発明の効果】
【００１９】
本発明によれば、ファンが収納されたケースは、立設形成された空気導入口形成板と、その内側に間隔を介して対面配設された防雨板とを有しており、前記ファンの駆動時には空気導入口形成板に形成された給気口を通してケース外部から空気が導入されるが、この空気は、前記防雨板の上端部に形成された第１の通気口側に向けて上向きに流れる上向き気流と、前記防雨板において前記給気口よりも下側の位置に形成された第２の通気口側に向けて下向きに流れる下向き気流とに分流する。
【００２０】
そして、この分流によって前記上向き気流が弱められる（上向き気流が流れる速度を雨水の落下速度未満とすることができる）ので、前記給気口から導入された空気に雨水が含まれていても、その空気から分流した前記上向き気流に含まれる雨水が前記第１の通気口に至る間に落下した状態で、前記空気が前記第１の通気口と前記第２の通気口とを通して前記ケースの内側に流れることにより、前記給気口から導入される空気と共に導入される雨水の前記防雨板より内側への浸入が抑制されることとなり、防雨板よりもケース内側に雨水が入ることを的確に防ぐことができる。
【００２１】
そのため、本発明によれば、雨水が落下した状態で第１の通気口を通って防雨板の内側に流れる空気をスムーズにファン側に送ることができ、雨水を含む空気がファンに送られる場合に比べて小さいファン回転数でも必要な空気量を得られるようにすることができ、ファン駆動時の騒音を低減できる。なお、第２の通気口側に流れる空気は下向きに流れるので雨水が第２の通気口の手前で下側に落ちやすく、空気が第２の通気口を通って防雨板の内側に流れるときにも、雨水は空気と共に防雨板の内側には入りにくい。
【００２２】
また、空気導入口形成板の給気口から第１の通気口までの距離と第２の通気口までの距離とをほぼ等しくすることによって、空気の分流バランスを良好にでき、上向き気流が流れる速度をより一層確実に雨水の落下速度未満とすることができる。そのため、上向き気流に含まれる雨水を第１の通気口に至る間に落下させて、雨水が落下した状態で第１の通気口を通して防雨板の内側に流す動作をより的確に行うことができ、前記効果をより一層的確に発揮することができる。
【００２３】
さらに、防雨板に切り込みが形成されて該防雨板から空気導入口形成板側に向けて折り返して斜め上向きに突出形成された羽根板を設け、該羽根板と前記防雨板の切り込み形成部との隙間を第２の通気口と成すことにより、第２の通気口側に流れた空気に含まれる雨水を羽根板にぶつけて落としやすくできる。つまり、空気は第２の通気口を通って防雨板よりもケース内側に流れていくが、空気に含まれる雨水は前記の如く第２の通気口の手前で落ちやすく、さらに、落ちずに第２の通気口側に進もうとしても慣性の法則によって真っ直ぐ進もうとして羽根板にぶつかって防雨板と空気導入口形成板との間に流下するので、雨水の防雨板よりもケース内側への浸入を効率的に防ぐことができる。
【００２４】
特に、羽根板の折り返しの根本側を空気導入口形成板側にふくらみをもたせて曲面形状に形成し、羽根板の先端側を垂直状に起立形成することにより、垂直状に起立形成された部分に雨水が非常に的確に当たりやすくなるので、雨水の防雨板よりもケース内側への浸入を効率的に防ぐ効果をより一層確実に発揮できる。
【００２５】
さらに、防雨板の第２の通気口と羽根板を、該防雨板の板面に沿ってケースの中央側よりもケース端部側に向けて下がる態様で斜めに配置形成し、前記羽根板のケース側の端部はケース端部に設けられて、羽根板に当たった雨水が前記ケースの壁面に添って流下する構成とすることによって、雨水による悪影響をより一層確実に防止することができる。すなわち、前記のように、雨水は空気が第２の通気口を通る際に羽根板にぶつかって防雨板と空気導入口形成板との間に流下するものの、万が一、その一部が防雨板の内側に流れてしまったとしても、ケースの壁面側にはケース内蔵装置のファン等の主要な内蔵部品は設けられていないので、内蔵部品に雨水が付着するといったことが生じないようにでき、雨水による悪影響をより一層確実に防止することができる。
【００２６】
また、このように形成すると、羽根板の斜め上端側と防雨板の板面との間の隙間を小さく又は隙間なく形成でき、より一層確実に雨水の防雨板より内側への侵入を防ぐことができる。
【００２７】
さらに、防雨板の第２の通気口を互いに上下方向に間隔を介して複数形成し、それぞれの前記通気口に対応させて形成された羽根板同士の配設形態が鎧戸形状となるように配置することにより、空気の分流バランスをさらにより一層良好にでき、また、第２の通気口の総開口面積を適切に拡大することも容易に可能となり、前記効果をより一層良好に発揮することができる。
【００２８】
さらに、ケース内に、ファン駆動により該ケース内に導入される空気を利用して燃焼する燃焼装置を設け、前記燃焼装置の燃焼により発生する熱を供給可能な熱源装置と成すことにより、前記のようなそれぞれの効果を発揮できる優れた熱源装置を実現できる。
【図面の簡単な説明】
【００２９】
【図１】本発明に係るファン内蔵装置の一実施例を説明するためのケース前面側の断面構成を示す模式図である。
【図２】実施例のファン内蔵装置のケース前板と防雨板の構成を示す模式的な説明図であり、（ａ）、（ｃ）は側面側から見た図、（ｂ）は前面（正面）側から見た図である。
【図３】実施例のファン内蔵装置の防雨板に形成された羽根板の模式的な断面図（ａ）と防雨板の模式的な斜視図（ｂ）である。
【図４】実施例のファン内蔵装置の防雨板を前板側とは反対側から見た図により示す模式的な説明図である。
【図５】ファン内蔵装置の一例である給湯器の構成をケースの板面を省略して示す模式図である。
【図６】提案例の給湯器のケース構成を示す模式的な断面図（ａ）と、そのケースに設けられている防雨板に形成される通気口の構成を示す模式的な正面図（ｂ）である。
【図７】従来の給湯器の前板を模式的に示す正面図（ａ）と斜視図（ｂ）である。
【発明を実施するための形態】
【００３０】
以下、本発明の実施の形態を図面に基づき説明する。なお、本実施例の説明において、これまでの説明と同一名称部分には同一符号を付し、その重複説明は省略または簡略化する。
【実施例】
【００３１】
図１には、本発明に係るファン内蔵装置の一実施例のケース構成が模式的な断面図により示されており、そのケース１の前板２と防雨板４の構成が図２に示されている。本実施例のファン内蔵装置は給湯器２０であり、従来例と同様に、例えば図５に示したような構成要素がケース１内に設けられて形成され、ケース１には、図１、図２に示されるように、前板２と防雨板４とを互いに間隔を介して対面配置されているが、本実施例では、前板２の給気口３の形成態様と防雨板４の構成を以下に述べる特徴的な構成としている。
【００３２】
つまり、本実施例においては、防雨板４の上端部側には空気が通る第１の通気口６が形成されて、防雨板４の前板２側から見た右端部に形成された通気口５が第２の通気口と成しており（図２（ｂ）、参照）、第２の通気口５は前板２に形成された給気口３よりも下側の位置に形成され、給気口３から第１の通気口６までの距離と給気口３から第２の通気口５までの距離とがほぼ等しく形成されている。なお、本実施例において、第２の通気口５は上下方向に互いに間隔を介して複数形成されており、その上下方向の中央部から給気口３までの距離が給気口３から第１の通気口６までの距離とほぼ等しく形成されている。
【００３３】
本実施例では、給気口３と第１および第２の通気口５，６との配置構成をこのような配置構成とすることにより、給気口３から導入される空気が第１の通気口６側に向けて上向きに流れる上向き気流と第２の通気口５側に向けて下向きに流れる下向き気流とに分流する構成と成しており、また、給気口３や第１、第２の通気口６，５の開口面積等に基づく空気が通過する際の空気抵抗が適宜バランス良く形成されていて前記上向き気流と下向き気流のバランスが良好になるように形成されている。そして、前記分流により上向き気流が弱められて、該上向き気流に含まれる雨水が第１の通気口６に至る間に落下した状態で、空気が第１の通気口６と第２の通気口５とを通してケース１の内側に流れることにより、給気口３から導入される空気と共に導入される雨水の防雨板４より内側への浸入が抑制される構成と成している。
【００３４】
つまり、雨水の落下速度は、通常の雨粒直径2ｍｍだと７ｍ／秒で落下し、直径が1ｍｍ〜2ｍｍ弱の小雨だと４〜６ｍ／秒で落下する（一般気象学（小倉義光、東京大学出版会、1984年）p.86）ものであるが、それに対し、本実施例では、前記分流によって、給気口３から第１の通気口６側に向かう上向き気流が弱められることにより、上向き気流が流れる速度が４ｍ／秒未満となるように形成されていて雨水の落下速度未満とすることができるので、給気口３から導入された空気に雨水が含まれていても、その空気から分流した前記上向き気流に含まれる雨水が第１の通気口６に至る間に落下した状態で、空気が第１の通気口６と第２の通気口５とを通してケース１の内側に流れる。このことにより、給気口３から導入される空気と共に導入される雨水の防雨板４より内側への浸入が抑制されることとなる。
【００３５】
なお、雨水のうち、より粒が小さい霧または霧状のもので、例えば高地でたまに見かける霧や霧状で給気口３から吸い込まれる殆ど浮遊しているように見える水滴（直径1ｍｍ未満で例えば直径０．５ｍｍ、落下速度が２ｍ／秒）のようなものは、発生頻度が非常に少ないので、このような雨水の浸入は考慮する必要がない。
【００３６】
また、第２の通気口５側に流れる空気は下向きに流れるので雨水が第２の通気口５の手前で下側に落ちやすく、空気が第２の通気口５を通って防雨板４の内側に流れも、雨水は空気と共に防雨板４の内側には入りにくい。
【００３７】
さらに、本実施例では、第２の通気口５の形成態様を以下のような特徴的な構成としている。つまり、防雨板４には切り込みが形成されて、図２〜図４に示されるように、防雨板４から前板２側に向けて折り返して斜め上向きに突出形成された羽根板７が設けられ、該羽根板７と防雨板４の切り込み形成部との隙間が第２の通気口５と成している。図３（ａ）に示されるように、羽根板７の折り返しの根本側は前板２側にふくらみをもたせて曲面形状に形成されており、羽根板７の先端側は垂直状に起立形成されている。なお、図１においては羽根板７は省略して示している。
【００３８】
さらに、防雨板４の通気口５と羽根板７は、防雨板４の板面に沿ってケース１の中央側よりもケース１の端部側に向けて下がる態様で斜めに配置形成されており、羽根板７のケース１側の端部はケース１の端部に設けられて、羽根板７に当たった雨水が羽根板７に沿ってケース１の端部側に流れて、ケース１の壁面に添って流下する構成と成している。また、図２、図３（ｂ）、図４に示されるように、第２の通気口５は互いに上下方向に間隔を介して複数形成され（図４に示されるように等間隔で配設され）、それぞれの第２の通気口５に対応させて形成された羽根板７同士の配設形態が鎧戸形状となるように配置されている。なお、図１においては、図の簡略化のために、第２の通気口５の配設数を少なめに記している。
【００３９】
また、図２（ａ）、（ｃ）に示されるように、本実施例でも側部板１１に給気口１３が形成され、底部板１２にも給気口１３（図示せず）が形成されている。本実施例において、これらの給気口１３の総開口面積は従来例より広く形成されており、空気の流れをより一層スムーズにして圧損を低減し、ファン駆動時の騒音が低減されている。なお、本発明においては、これらの形成態様は特に限定されるものではなく、適宜設定されるものである。
【００４０】
また、本実施例において、防雨板４の上端側には雨返し板８が形成されており、第１の通気口６に向けて流れた空気が雨返し板８にぶつかると、空気に含まれていた雨水が落ちるようになっている。雨返し板８も第２の通気口５と同様に、ケース１の中央側よりもケース１の端部側に向けて下がる態様で斜めに傾けて形成されており（図２（ｂ）、参照）、雨返し板８にぶつかった雨水が雨返し板８に沿ってケース１の端部側に流れて、ケース１の壁面に添って流下する構成と成している．
【００４１】
なお、本発明は、前記実施例に限定されるものでなく、本発明の技術的範囲を逸脱しない範囲において様々な態様を採り得る。例えば、前記実施例では、給気口３から第１の通気口６までの距離と給気口３から第２の通気口５までの距離とがほぼ等しく形成されていたが、給気口３から導入される空気が第１の通気口６側に向けて上向きに流れる上向き気流と第２の通気口５側に向けて下向きに流れる下向き気流とに分流して上向き気流が弱められることにより、給気口３から導入される空気と共に導入される雨水の防雨板４より内側への浸入が抑制される構成であれば、給気口３から第１と第２の通気口６，５までの距離は必ずしもほぼ等しく形成されなくてもよい。
【００４２】
また、前記本実施例では、第２の通気口５の形成態様を、図２〜図４に示されるような態様としたが、例えば羽根板７の折り返しの根本側は前板２側にふくらみをもたせて曲面形状に形成されていなくてもよいし、通気口５と羽根板７は、防雨板４の板面に沿ってケース１の中央側よりもケース１の端部側に向けて下がる態様で斜めに配置形成されなくてもよい。また、羽根板７や第２の通気口５の配設数も適宜設定されるものであり、羽根板７は形成することが好ましいが、必ずしも羽根板７を形成しなくてもよく、例えば切り起こし形状としてもよい。
【００４３】
さらに、前記実施例では、防雨板４の上端側の雨返し板８の形成態様を、ケース１の中央側よりもケース１の端部側に向けて下がる態様で斜めに傾けて形成する態様としたが、雨返し板８の形成態様は特に限定されるものでなく、適宜設定されるものである。さらに、前板２の側面に形成する給気口１３の形成態様も適宜設定されるものである。
【００４４】
さらに、前記実施例では、防雨板４に第１と第２の通気口６，５を形成したが、第１の通気口６は防雨板４に形成せずに防雨板４の上端部とケース１の天井側との間に隙間が形成されるようにして、その隙間を第１の通気口としてもよい。
【００４５】
さらに、前記実施例では、給湯器２０としたが本発明のファン内蔵装置は給湯器以外の熱源装置としてもよいし、熱源装置以外のファン内蔵の装置としてもよい。
【００４６】
なお、前記実施例の熱源装置は、スリム型給湯器と呼ばれるもので、通常の給湯器の横幅が半分であって、例えば通常のパイプシャフトに（通常の給湯器１台分の横幅に）２台設置可能なタイプの給湯器である。主に首都圏で地価の高い場所で使用されていたスリム型給湯器の買換えに用いられる。新規で設置される場合は、例えば、同じく首都圏の狭小住宅等で、器具の排気方向を隣家側に向けるのではなく、自分の家に沿った方向に器具の排気方向を向けるために、器具の設置方向自体を変えるために用いられる給湯器である。
【産業上の利用可能性】
【００４７】
本発明は、空気に含まれる雨水のケース内部への浸入を防ぐことが可能で、ファン駆動時の騒音も小さくできるので、例えば給湯器等の家庭用の熱源装置に適用できる。
【符号の説明】
【００４８】
１                    ケース
２                    前板
３                    給気口
４                    防雨板
５                    第２の通気口（通気口）
６                    第１の通気口
７                    羽根板
８                    雨返し板
２０                  給湯器
【図１】
2018128189.tif 000003
【図２】
2018128189.tif 000004
【図３】
2018128189.tif 000005
【図４】
2018128189.tif 000006
【図５】
2018128189.tif 000007
【図６】
2018128189.tif 000008
【図７】
2018128189.tif 000009